(57)【要約】【課題】従来の技術の有する上記した問題点１乃至問題点７を解消するようにして、高い気密性と安定した電磁的遮蔽効果とを実現する。【解決手段】上方の開口部において開口し、略矩形形状に形成された底面部の全領域にわって収容物が載置可能な収容部と、上記収容部の上記開口部の外周縁部全周にわたって配設される介在部材と、上記介在部材に当接して上記収容部の上記開口部を被覆する第１の蓋と、上記第１の蓋を上記収容部の上記開口部側に向かって付勢するようにして上記収容部に固定的に配設される第２の蓋とを有する。【選択図】        図７
2006108257.tif 000002
【特許請求の範囲】
【請求項１】
上方の開口部において開口し、略矩形形状に形成された底面部の全領域にわって収容物が載置可能な収容部と、
前記収容部の前記開口部の外周縁部全周にわたって配設される介在部材と、
前記介在部材に当接して前記収容部の前記開口部を被覆する第１の蓋と、
前記第１の蓋を前記収容部の前記開口部側に向かって付勢するようにして前記収容部に固定的に配設される第２の蓋と
を有することを特徴とする密閉容器。
【請求項２】
請求項１に記載の密閉容器において、さらに、
前記第２の蓋は、前記第１の蓋の上面に載置されて前記第１の蓋と面接触し、外周縁部側において前記収容部にネジ止めされて、前記第１の蓋を前記収容部の前記開口部側に向かって付勢するようにして前記収容部に固定的に配設される
ことを特徴とする密閉容器。
【請求項３】
導体によって形成され、所定の形状に形成され収容物が載置される底面部と、前記底面部から立設され所定の厚みを有する側壁部と、前記側壁部の上方側の端部により形成され上方側において開口する開口部と、前記側壁部の上方側の端部に形成されたリング状の溝部と、前記側壁部の上方側の端部において前記溝部の外周側に形成された複数のネジ孔とを有する収容部と、
弾性部材によって形成され、前記収容部の前記溝部内に配設されるリング状のパッキンと、
導体によって形成され、略板状体の被覆部と、前記被覆部の外周縁部側に位置し前記被覆部と所定の角度を有して突設された当接部とを有し、前記当接部が前記収容部の前記溝部内に配設された前記パッキンに当接して、前記被覆部により前記収容部の前記開口部を被覆する第１の蓋と、
導体によって形成され、全体が略平板状体であって、前記収容部に形成された複数のネジ孔と対応する外周縁部側の位置にネジが挿入される孔が穿設され、前記孔に挿入された前記ネジが前記収容部の前記ネジ孔とネジ結合した状態で、前記第１の蓋の前記被覆部に面接触する第２の蓋と
を有することを特徴とする密閉容器。
【請求項４】
請求項１、請求項２または請求項３のいずれか１項に記載の密閉容器において、
前記収容物はプリント基板であり、前記収容部には内部に収容された前記プリント基板を外部と接続するための手段が気密性を有した状態で配設される
ことを特徴とする密閉容器。
【発明の詳細な説明】
【技術分野】
【０００１】
本発明は、密閉容器に関し、さらに詳細には、例えば、高い周波数帯域（例えば、マイクロ波周波数帯域）を使用するプリント配線板を内部に気密保持して、電波の漏れをなくしたり、あるいは、外部からの電波の影響を遮蔽することのできる密閉容器に関する。
【背景技術】
【０００２】
従来より、各種電子部品などが実装されたプリント基板を、気密性を保持した状態で収納する筐体が知られている（例えば、特許文献１を参照する。）。
【０００３】
こうした従来より公知の筐体の一例として、図１（ｂ）に示すような筐体が知られていおり、図１（ａ）には、図１（ｂ）に示す従来の筐体の概略構成分解斜視説明図が示されている。また、図２には、図１（ｂ）のＩＩ−ＩＩ線断面図が示されており、図３には、図１（ｂ）のＩＩＩ−ＩＩＩ線断面図が示されている。
【０００４】
この筐体１００は、環状のパッキン１０４の装着ガイドとなる溝１０２ａが形成され略中央部位には２本の支柱１０６，１０８が立設された略箱状体の本体部１０２と、本体部１０２に外周側ネジ１２２と中央側ネジ１２４によって固定される蓋部１２０とを有して構成されている。
【０００５】
なお、図１（ａ）（ｂ）に示す符号４００は、外部と筐体１００内部とを接続するためのコネクタである。
【０００６】
そして、上記した従来の筐体１００に電子部品などが実装されたプリント基板３００（図２ならびに図３の破線参照）を収容するには、まず、溝１０２ａにパッキン１０４が装着されている本体部１０２内にプリント基板３００を取り付ける。その後、本体部１０２と蓋部１２０との間でパッキン１０４を押さえ付けるようにして、外周側ネジ１２２と中央側ネジ１２４とにより蓋部１２０を本体部１０２に固定的に配設する。
【０００７】
この外周側ネジ１２２ならびに中央側ネジ１２４による蓋部１２０の取り付けに際して、より詳細には、図２に断面の状態が示されているように、本体部１０２の外周側の全周にわたって多数穿設されたネジ孔１０２ｂに対応する多数の外周側ネジ１２２を、本体部１０２のネジ孔１０２ｂにそれぞれネジ結合させて、蓋部１２０の外周縁部１２０ａを押さえるようにする。さらに、図３に断面の状態が示されているように、本体部１０２の略中央部位に立設する２本の支柱１０６，１０８に対応する２本の中央側ネジ１２４を、２本の支柱１０６，１０８のネジ孔１０６ａ，１０８ａにパッキン１２６を介してそれぞれネジ結合させて、蓋部１２０の中央部位１２０ｂを押さえるようにする。
【０００８】
こうして、従来の筐体１００においては、外周側ネジ１２２による蓋部１２０の外周縁部１２０ａの押さえ付けと、中央側ネジ１２４による蓋部１２０の中央部位１２０ｂの押さえ付けとを組み合せることによって、本体部１０２の開口部の周囲に位置するパッキン１０４を蓋部１２０によって確実に押さえ付けるようにして、気密保持力を強化している。
【０００９】
しかしながら、上記した従来の筐体１００は、以下に示すような種々の問題点を有するものである。
【００１０】
［問題点１］蓋部１２０を本体部１０２に取り付けるのに、本体部１０２の外周側の全周にわたって多数穿設されたネジ孔１０２ｂに対応する多数の外周側ネジ１２２と、本体部１０２の略中央部位に立設する２本の支柱１０６，１０８に対応する２本の中央側ネジ１２４とが必要であり（図１（ａ）参照）、非常に多くのネジを用いなければならない。
【００１１】
［問題点２］上記した［問題点１］により、筐体１００の内部に収容されたプリント基板３００が故障するなどして、当該故障分析などのために筐体１００を開封する際には、多数のネジを外さなければならず、筐体１００の蓋部１２０の取り付けとともにその取り外しが非常に煩雑である。
【００１２】
［問題点３］本体部１２０の略中央部位には２本の支柱１０６，１０８が立設されており、当該構造物を略箱状体の本体部１０２に形成しなければならず、しかも、この２本の支柱１０６，１０８のネジ孔１０６ａ，１０８ａに中央側ネジ１２４をネジ結合する際にパッキン１２６を用いるので、本体部１０２の構造が複雑になるとともに、部品点数が多くなる。
【００１３】
［問題点４］上記した［問題点１］、［問題点２］ならびに［問題点３］により、プリント基板を気密性を保持した状態で収納する筐体１００を、加工し組み立てるのに時間がかかり、経済的に高価なものになってしまう。
【００１４】
［問題点５］従来の筐体１００においては、蓋部１２０の中央部位１２０ｂを押さえ付けるための中央側ネジ１２４がネジ結合する２本の支柱１０６，１０８が、本体部１２０の略中央部位に立設されているので、プリント基板３００（図２ならびに図３参照）を本体部１０２内に配設するスペースが制限されてしまう。
【００１５】
［問題点６］筐体１００を衛星放送や衛星通信の受信低雑音増幅器コンバータに使用する場合などには、外部への電波の漏れをなくすように遮蔽したり、外部からの電波の影響を遮蔽して収納すること、即ち、電磁的遮蔽（シールド）が必要になる。
【００１６】
こうした高い周波数帯域（例えば、マイクロ波周波数帯域）を使用するプリント基板などを筐体１００内に収容すると、高い周波数帯域では表面に電流が流れる表皮効果があることから接触が問題となる。
【００１７】
しかし、従来の筐体１００においては、蓋部１２０の中央部位１２０ｂを押さえ付ける中央側ネジ１２４が、２本の支柱１０６，１０８のネジ孔１０６ａ，１０８ａにパッキン１２６を介してネジ結合するので（図１乃至図３参照）、当該パッキン１２６の介在箇所において、本体部１０２の支柱１０６，１０８と蓋部１２０とが高い周波数帯域で電気的接続し難い構造になっており、電気的性能が不安定になってしまう。
【００１８】
［問題点７］図４に示すように、従来の筐体１００においては、本体部１０２の開口部の周囲に位置するパッキン１０４によって、蓋部１２０の中央部位１２０ｂが浮き上がって、本体部１０２の開口部と蓋１２０とが点接触になってしまう。
【００１９】
また、従来の筐体１００においては、本体部１０２の左右の高さＨ１，Ｈ２が異なる場合や、本体部１０２の左右の高さＨ１，Ｈ２に比べて支柱１０６，１０８の高さＨ３が高い、あるいは、低い場合や、本体部１０２の左右の高さＨ１，Ｈ２と支柱１０６，１０８の高さＨ３とが一致しているもののパッキン１０４の圧力によって実効的な高さＨ１，Ｈ２，Ｈ３が異なる場合など、いずれの場合においても本体部１０２の開口部と蓋１２０とが点接触する可能性が大きくなる構成である（図４参照）。
【００２０】
このため、従来の筐体１００においては、こうした点接触を防止するために、蓋部１２０の中央部位１２０ｂを押さえ付けるためのネジ中央側ネジ１２４や２本の支柱１０６，１０８が必須の構造であり、また、蓋部１２０の外周縁部１２０ａを押さえ付けるための外周側ネジ１２２の総数を増やさなければならない。
【００２１】
上記した従来の筐体１００の有する［問題点１］〜［問題点７］の問題点のうち、［問題点１］を解消するために、図５に示すような筐体２００も提案されている。
【００２２】
なお、図５は、図３に対応するようにして示された筐体２００の断面図であり、図５に示す構成において、図１乃至図４に示す構成と同一または相当する構成については図１乃至図４と同一の符号を用いて示すことにより、その構成ならびに作用の詳細な説明は省略するものとする。
【００２３】
この筐体２００は、環状のパッキン２０４の装着のガイドとなる溝２０２ａが形成され略中央部位には２本の支柱２０６が立設された略箱状体の本体部２０２と、本体部２０２の溝２０２ａに装着されたパッキン２０４を押さえる端部２２０ｃを備えた蓋部２２０とを有して構成されている。
【００２４】
より詳細には、筐体２００においては、蓋部２２０の端部２２０ｃを、パッキン２０４が装着された本体部２０２の溝２０２ａ内に挿入可能なように屈曲形成している。
【００２５】
そして、上記した筐体２００にプリント基板３００（図５の破線参照）を収容するには、蓋部２２０の端部２２０ｃを本体部２０２の溝２０２ａ内に挿入してパッキン２０４を押さえ付ける。さらに、気密性を保持するために、本体部２０２の溝２０２ａ内に充填剤２３０を充填する。
【００２６】
こうしてプリント基板３００を収容する従来の筐体２００は、蓋部２２０の端部２２０ｃによってパッキン２０４を押さえ付けるので、ネジは蓋部２２０の中央部位２２０ｂを押さえ付けるためのネジ２２４のみを用いればよく、使用するネジの総数が減少し、上記した従来の筐体１００（図１乃至図４参照）の有する［問題点１］を解決することができる。
【００２７】
しかしながら、従来の筐体２００においても、蓋部２２０の中央部位２２０ｂを押さえ付けるためのネジ２２４、パッキン２２６ならびに２本の支柱２０６は必須な構成であり、上記した従来の筐体１００（図１乃至図４参照）の有する［問題点３］〜［問題点７］を解決することはできない。
【００２８】
さらに、従来の筐体２００は本体部２０２の溝２０２ａ内に充填剤２３０を充填して気密性を保持しているが、この充填剤２３０の除去は困難である。このため、筐体２００の内部に収容されたプリント基板３００が故障したときなどに、当該故障分析などのために筐体２００を開封することができないという新たな問題点を従来の筐体２００は招来してしまう。
【特許文献１】特開２００２−１１１２４７号公報
【発明の開示】
【発明が解決しようとする課題】
【００２９】
本発明は、上記したような従来の技術の有する種々の問題点に鑑みてなされたものであり、その目的とするところは、新たな問題点を招来せずに、従来の技術の有する上記した問題点１乃至問題点７を解消するようにして、高い気密性と安定した電磁的遮蔽効果とを実現する密閉容器を提供しようとするものである。
【課題を解決するための手段】
【００３０】
上記目的を達成するために、本発明のうち請求項１に記載の発明は、上方の開口部において開口し、略矩形形状に形成された底面部の全領域にわって収容物が載置可能な収容部と、上記収容部の上記開口部の外周縁部全周にわたって配設される介在部材と、上記介在部材に当接して上記収容部の上記開口部を被覆する第１の蓋と、上記第１の蓋を上記収容部の上記開口部側に向かって付勢するようにして上記収容部に固定的に配設される第２の蓋とを有するようにしたものである。
【００３１】
従って、本発明のうち請求項１に記載の発明によれば、第１の蓋が収容部の開口部の外周縁部全周にわたって配設された介在部材と当接して、当該第１の蓋によって収容部の開口部が被覆され、その第１の蓋は第２の蓋によって収容部の開口部側に向かって付勢されるので、当該第２の蓋によって第１の蓋が介在部材に当接して強力に押さつけられ、その内部は高い気密性が維持され、安定した電磁的遮蔽効果が得られる。
【００３２】
また、本発明のうち請求項２に記載の発明は、請求項１に記載の発明において、さらに、上記第２の蓋は、上記第１の蓋の上面に載置されて上記第１の蓋と面接触し、外周縁部側において上記収容部にネジ止めされて、上記第１の蓋を上記収容部の上記開口部側に向かって付勢するようにして上記収容部に固定的に配設されるようにしたものである。
【００３３】
また、本発明のうち請求項３に記載の発明は、導体によって形成され、所定の形状に形成され収容物が載置される底面部と、上記底面部から立設され所定の厚みを有する側壁部と、上記側壁部の上方側の端部により形成され上方側において開口する開口部と、上記側壁部の上方側の端部に形成されたリング状の溝部と、上記側壁部の上方側の端部において上記溝部の外周側に形成された複数のネジ孔とを有する収容部と、弾性部材によって形成され、上記収容部の上記溝部内に配設されるリング状のパッキンと、導体によって形成され、略板状体の被覆部と、上記被覆部の外周縁部側に位置し上記被覆部と所定の角度を有して突設された当接部とを有し、上記当接部が上記収容部の上記溝部内に配設された上記パッキンに当接して、上記被覆部により上記収容部の上記開口部を被覆する第１の蓋と、導体によって形成され、全体が略平板状体であって、上記収容部に形成された複数のネジ孔と対応する外周縁部側の位置にネジが挿入される孔が穿設され、上記孔に挿入された上記ネジが上記収容部の上記ネジ孔とネジ結合した状態で、上記第１の蓋の上記被覆部に面接触する第２の蓋とを有するようにしたものである。
【００３４】
また、本発明のうち請求項４に記載の発明は、請求項１、請求項２または請求項３のいずれか１項に記載の発明において、上記収容物はプリント基板であり、上記収容部には内部に収容された上記プリント基板を外部と接続するための手段が気密性を有した状態で配設されるようにしたものである。
【発明の効果】
【００３５】
本発明は、以上説明したように構成されているので、新たな問題点を招来せずに、従来の技術の有する上記した問題点１乃至問題点７を解消して、高い気密性と安定した電磁的遮蔽効果とを実現することができるようになるという優れた効果を奏する。
【発明を実施するための最良の形態】
【００３６】
以下、添付の図面に基づいて、本発明による密閉容器の実施の形態の一例を詳細に説明するものとする。
【００３７】
図６には、本発明による密閉容器の実施の形態の一例を示す概略構成説明図（上面図）が示されており、図７には、図６に示す本発明による密閉容器のＶＩＩ−ＶＩＩ線断面図が示されており、図８には、図６に示す本発明による密閉容器のＶＩＩＩ−ＶＩＩＩ線断面図が示されており、図９には、図６に示す本発明による密閉容器のＩＸ−ＩＸ線の箇所における断面に対応させた概略構成分解斜視説明図が示されている。
【００３８】
本発明による密閉容器１０は、上方の開口部１２ａにおいて開口し、略矩形形状に形成された底面部１２ｂ上に収容物が載置される収容部１２と、収容部１２の開口部１２ａの外周縁部全周にわたって配設された介在部材１４と、介在部材１４に当接して収容部１２の開口部１２ａを被覆する蓋１６と、蓋１６の上面１６ａに積載され収容部１２にネジ止めされる蓋１８とを有して構成されている。
【００３９】
ここで、蓋１６によって収容部１２の開口部１２ａが被覆されると、収容物が収容される密閉容器１０の内部空間１０ａが形成されるものである。
【００４０】
なお、この実施の形態においては、密閉容器１０の内部空間１０ａにプリント基板３０（図９参照）が収容物として収容されることとし、当該プリント基板３０は、密閉容器１０の収容部１２の底面部１２ｂにビス３２によって取り付けられ固定的に配設されている。
【００４１】
このプリント基板３０には、各種の電子部品や複数の半田付け端子などが実装されているものである。そして、密閉容器１０の内部空間１０ａに収容された収容物たるプリント基板３０は、プリント基板３０に中心導体４０２ａが金属リボン（金属タブ）４０４にて半田付けされたコネクタ４０２や導波管などを介して、密閉容器１０の外部の図示しないアンテナや中継装置などと接続可能なように構成されている。
【００４２】
ここで、密閉容器１０の収容部１２、蓋１６ならびに蓋１８はいずれも、電気伝導性や重量、加工性、価格などの点を考慮して、アルミにより形成されている。
【００４３】
ただし、密閉容器１０の収容部１２、蓋１６、蓋１８を形成する材料は、アルミに限られるものではないことは勿論であり、導体によって形成するようにし、例えば、金属であれば銅などを使用することもできる。また、密閉容器１０の収容部１２、蓋１６、蓋１８にサビなどを防止するためのメッキを施すようにしてもよいし、あるいは、全体を同一の材料によって形成するようにしてもよいし、あるいは、部分的に異なる複数の材料を用いるようにしてもよい。
【００４４】
そして、収容部１２は、略矩形形状に形成された底面部１２ｂと、底面部１２ｂから立設され所定の厚みｄ（図７参照）を有する側壁部１２ｃと、側壁部１２ｃの上方側の端部１２ｃｃに形成されたリング状の溝部１２ｄと、側壁部１２ｃの端部１２ｃｃにおいて溝部１２ｄの外周側に形成された６つのネジ孔１２ｅとを有するものである。
【００４５】
収容部１２が上方側において開口する開口部１２ａは、側壁部１２ｃの上方側の端部１２ｃｃによって形成されるものであり、当該開口部１２ａを介して、収容物たるプリント基板３０を底面部１２ｂ上にビス３２によって取り付けたり、あるいは、当該プリント基板３０を取り外して交換することができる。
【００４６】
また、収容部１２の溝部１２ｄは、側壁部１２ｃの上方側の端部１２ｃｃにリング状に形成されており、収容部１２の開口部１２ａの外周縁部全周にわたって途切れることなく一連で形成されているものである。この溝部１２ｄの幅や深さなどは、当該溝部１２ｄに配設される介在部材１４に応じて寸法設定されている。
【００４７】
一方、収容部１２の溝部１２ｄに隣接するようにして６つのネジ孔１２ｅが形成されており、これら６つのネジ孔１２ｅは、６本のネジ２０とそれぞれネジ結合可能なものである。
【００４８】
なお、溝部１２ｄとネジ孔１２ｅとはいずれも、側壁部１２ｃの端部１２ｃｃに形成されているものであるが、溝部１２ｄの内径側縁部１２ｄｄの高さ位置よりも、ネジ孔１２ｅの上方開口部１２ｅｅの高さ位置のほうが上方側に位置するようにして各種寸法設定がなされている（図８参照）。
【００４９】
また、収容部１２の側壁部１２ｃには、密閉容器１０の内部空間１０ａに収容されるプリント基板３０を外部と接続するコネクタ４０２や図示しない導波管のための接続用孔１２ｆ，１２ｇが穿設されている（図９参照）。
【００５０】
接続用孔１２ｆは、丸孔であってコネクタ４０２用に形成されており、収容部１２の側壁部１２ｃの外周面側において接続用孔１２ｆが開口する開口部１２ｆｆの外周側には、パッキン４０６を挿入する溝たるパッキン挿入部１２ｈが形成されている。そして、コネクタ４０２は中心導体４０２ａを接続用孔１２ｆ内に挿入した状態で、パッキン挿入部１２ｈに装着されたパッキン４０６を収容部１２の側壁部１２ｃとの間で狭持するようしてビス４０８によりビス止めされて、収容部１２の側壁部１２ｃに取り付けられる。
【００５１】
一方、接続用孔１２ｇは、角孔であって導波管用に形成されており、収容部１２の側壁部１２ｃの外周面側において接続用孔１２ｇが開口する開口部１２ｇｏの外周側は、側壁部１２ｃの一部が凸形成されて導波管用フランジ部１２ｋになっている。この収容部１２の導波管用フランジ部１２ｋには、パッキン（図示せず。）を挿入する溝たるパッキン挿入部１２ｍと、密閉容器１０の外部と接続する図示しない導波管のフランジが接続可能なようにネジ孔１２ｐとが形成されている。
【００５２】
そして、収容部１２の側壁部１２ｃの内周面側において接続用孔１２ｇが開口する開口部１２ｇｉには、プリント基板３０にネジ４１０によりネジ止めされる導波管ブロック４１２の導波管４１２ａが接続用孔１２ｇと接続するようにして位置する。この導波管ブロック４１２の導波管４１２ａ内には、テフロン（登録商標）材よりなる領域４１２ｂに位置しプリント基板３０にまで達する導波棒４１４が配設されている。
【００５３】
従って、パッキン挿入部１２ｍに装着されたパッキン（図示せず。）を導波管用フランジ部１２ｋとの間で狭持するようして、接続用孔１２ｇの開口部１２ｇｏ側に密閉容器１０の外部と接続する図示しない導波管が接続されると、外部の導波管と密閉容器１０内の導波管ブロック４１２の導波管４１２ａとが接続用孔１２ｇを介して連通する。
【００５４】
こうして収容部１２の側壁部１２ｃの接続用孔１２ｆ，１２ｇの箇所においては、パッキン４０６を介して、具体的には、パッキン４０６として例えば楕円形状で無端状のゴムパッキンを用いるなどして、密閉容器１０の内部空間１０ａに収容された収容物たるプリント基板３０を外部と接続するための手段であるコネクタ４０２や導波管を、内部のプリント基板３０と接続するとともに気密性を保持した状態で取り付けることができる。
【００５５】
ただし、内部の収容物が外部と接続するための手段であるコネクタ４０２や導波管を、密閉容器１０の収容部１２あるいは蓋１６，１８に取り付けるための構成は、上記構成に限られるものではないことは勿論であり、同軸ケーブルや導波管の種類、配設箇所などに応じて、気密を確保するための公知の手法による各種構成を用いるようにしてもよい。
【００５６】
そして、介在部材１４は、例えば、所定のクッション性能を有する弾性材料により形成することができ、この実施の形態においては、ゴムにより形成されたリング状のゴムパッキンを用いるものである。この介在部材１４たるゴムパッキンは、収容部１２の側壁部１２ｃの端部１２ｃｃにリング状に形成されている溝部１２ｄ内に配設され、収容部１２の開口部１２ａの外周縁部全周にわたって配置される。
【００５７】
また、蓋１６は、略矩形形状で平滑な上面１６ａを備える略板状体の被覆部１６ｂと、
被覆部１６ｂの外周縁部を所定の角度で折り曲げるようにして形成された当接部１６ｃとを有するものである。
【００５８】
この蓋１６の当接部１６ｃは、収容部１２の溝部１２ｄ内に配設された介在部材１４に当接する部位であり、収容部１２の溝部１２ｄ内に配設された介在部材１４に当接可能な角度や全長を備えるようにして各種寸法設定がなされている。また、蓋１６の被覆部１６ｂは、収容部１２の開口部１２ａを被覆する部位であり、当該被覆部１６ｂの大きさは、蓋１６の当接部１６ｃが介在部材１４に当接した状態で、収容部１２の開口部１２ａを被覆可能な大きさに寸法設定されているものである。
【００５９】
そして、蓋１８は、全体が略平板状体であって、略矩形形状で平滑な上面１８ａならびに下面１８ｂを備え、外周縁部１８ｄ近傍の所定の位置には６つの孔１８ｃが穿設されているものである。
【００６０】
この蓋１８の６つの孔１８ｃはそれぞれ、収容部１２の６つのネジ孔１２ｅとネジ結合可能な６本のネジ２０が挿入されるものであり、収容部１２の６つのネジ孔１２ｅと対応する位置に穿設されている。
【００６１】
つまり、収容部１２の側壁部１２ｃの端部１２ｃｃにおいて溝部１２ｄの外周側にネジ孔１２ｅが形成されているので、当該ネジ孔１２ｅと対応する外周縁部近傍において孔１８ｃが穿設されている蓋部１８の上面１８ａならびに下面１８ｂの大きさは、溝部１２ｄ内に配設された介在部材１４に屈曲形成された当接部１６ｃが当接する蓋１６の被覆部１６ｂより大きいものである。
【００６２】
以上の構成において、本発明による密閉容器１０にプリント基板３０を収容する際の動作について説明する。
【００６３】
まず、収容部１２の開口部１２ａから収容物たるプリント基板３０を搬入し、ビス３２によりプリント基板３０を底面部１２ｂ上に固定的に配設する。そして、収容部１２の底面１２ｂ上に載置されたプリント基板３０とコネクタ４０２や導波管を接続して、プリント基板３０と密閉容器１０の外部との接続を確保する。
【００６４】
それから、蓋１６の上面１６ａが上方側に位置するようにして、当接部１６ｃを収容部１２の溝部１２ｄ内に嵌められた介在部材１４たるゴムパッキンに当接させ、位置決めするとともに蓋１６の当接部１６ｃによって介在部材１４を押さえた状態で、蓋１６の被覆部１６ｂによって収容部１２の開口部１２ａを被覆する。
【００６５】
そして、上方側に位置している蓋１６の上面１６ａに蓋１８を載置し、蓋１８の孔１８ｃにネジ２０を挿入して、当該ネジ２０を収容部１２のネジ孔１２ｅとネジ結合させる。これにより、蓋１６の被覆部１６ｂの上面１６ａと蓋１８の下面１８ｂとが面接触し、上方側の蓋１８が下方側の蓋１６を収容部１２の開口部１２ａに向かって付勢した状態で、蓋１８は収容部１２にネジ止めされて固定的に配設される。
【００６６】
上記したように、本発明による密閉容器１０においては、蓋１６と当該蓋１６を押さえるための平板構造の蓋１８とを用いて、介在部材１４たるパッキンが嵌められた収容部１２に収容物たるプリント基板３０を収容するようにしたため、高い気密性を維持することができるとともに、安定した電磁的遮蔽効果が得られる。
【００６７】
より詳細には、本発明による密閉容器１０においては、収容部１２の溝部１２ｄ内に嵌められた介在部材１４はリング状のゴムパッキンなので、単一の介在部材１４を配設すればよく、介在部材１４の装着が容易で、簡単な構造のため安価なものである。
【００６８】
そして、密閉容器１０においては、その溝部１２ｄ内の介在部材１４を、蓋１６の当接部１６ｃが当接して容易に押さえ付けることができ、気密性を保持できる。しかも、この蓋１６にはネジ孔などを一切形成する必要がなく、非常に簡単な構造である。
【００６９】
また、密閉容器１０においては、蓋１６を押さえるための平板構造の蓋１８によって、より一層強固に介在部材１４を押さえて、気密性を確保することができる。
【００７０】
しかも、蓋１８は下面１８ｂが蓋１６の平滑な上面１６ａと面接触した状態で、蓋１６の上面１６ａに載置されるので、圧力が均等にかかり非常に安定した状態で封止することができる。さらに、蓋１８の下方側に位置する蓋１６においても均一に圧力がかかるので、蓋１８や蓋１６が歪んで変形することを防止でき、蓋１８，１６の変形によって気密性が失われるようなことがない。
【００７１】
このように高い気密性を有する本発明による密閉容器１０は、例えば、衛星放送や衛星通信の受信低雑音増幅器コンバータに用いて好適なものであり、衛星放送のアンテナに取り付けても、雨の水分が中に入るのを防ぐことができ、高い水密性をも兼ね備えるものである。
【００７２】
そして、本発明による密閉容器１０は、蓋１６ならびに蓋１８を用いるようにしたため、わずか６本のネジ２０によって封止することができ、使用するネジの総数を大幅に減らすことができる。
【００７３】
従って、本発明によれば、上記「背景技術」の項において記載した従来の技術の有する［問題点１］ならびに［問題点２］を解消することができ、本発明は、収容部１２への蓋１６，１８の取り付けが容易であるとともに、密閉容器１０内に収容されたプリント基板３０が故障するなどして、当該故障分析などのために密閉容器１０を開封する際の蓋１６，１８の取り外しも非常に容易である。
【００７４】
しかも、本発明による密閉容器１０においては、蓋１８の外周縁部１８ｄにわずか６つの孔１８ｃが穿設されているだけであるので、蓋１８の中央部位や、蓋１６においてはその全体において、ネジ孔などの孔が一切穿設されていないものである。
【００７５】
つまり、本発明は、上記「背景技術」の項において記載した筐体１００（図１乃至図４参照）や筐体２００（図５参照）のように、略中央部位に位置する２本の支柱１０６，１０８，２０６を形成する必要がないものである。このため、本発明によれば、上記「背景技術」の項において記載した従来の技術の有する［問題点３］、［問題点４］、［問題点５］、［問題点６］、ならびに［問題点７］を解消することができる。
【００７６】
より詳細には、本発明による密閉容器１０は、従来は必須であった支柱１０６，１０８，２０６やパッキン１２６，２２６がないので、部品点数は少なくなり、簡単な構造なので加工時間は短く、組み立ても容易で、製造コストを抑えて安価なものにすることができる。
【００７７】
そして、密閉容器１０の内部に収容するプリント基板３０は、略矩形形状に形成された底面部１２ｂの全領域にわって載置することができ（図９参照）、収容物を配設するスペースが制限されるようなこともない。
【００７８】
また、本発明による密閉容器１０は、従来の筐体１００，２００のようにパッキン１２６，２２６の介在箇所において電気的接続ができないというようなことはなく、パッキンは外部に露出しない構造なので、収容部１２と蓋１６と蓋１８の電気的接続を確保することができる。しかも、収容部１２、蓋１６ならびに蓋１８はいずれもアルミにより形成されているので、不要な電磁波を遮蔽することができる。
【００７９】
つまり、本発明の密閉容器１０によれば、電気的ノイズあるいは電磁気的ノイズなどと呼ばれる不要な電磁波を、密閉容器１０の内部空間１０ａに収容されている収容物から外部へ出さないようにすることができ、また、密閉容器１０の内部空間１０ａに収容される収容物が外部から受けないようにすることができる。従って、本発明による密閉容器１０は、高い周波数帯域（例えば、マイクロ波帯域）を使用するプリント基板を収容し、衛星放送や衛星通信の受信低雑音増幅器コンバータに用いて好適なものである。密閉容器１０は、外部の環境に適した気密性を維持し、安定した電磁遮蔽効果で、内部に収容されるプリント基板３０に実装された各種の電子部品や電子回路の動作特性を安定に保つことができる。
【００８０】
そして、上記したように蓋１６と蓋１８との面接触が確保された密閉容器１０は、容易に点接触を回避でき、非常に少ない数のネジによって封止することができる。
【００８１】
なお、上記した実施の形態の密閉容器１０においては、ネジ止めにより収容部１２と蓋１８とを一体化するようにしたが、これに限られるものではないことは勿論であり、ビスを用いるなど、その他の締結手段によって収容部１２と蓋１８を互いに固定的に一体化してもよい。
【００８２】
また、上記した実施の形態の密閉容器１０においては、介在部材１４はゴムにより形成されたリング状のゴムパッキンを用いるようにしたが、これに限られるものではないことは勿論であり、介在部材１４として単一あるいは複数のものを用いるようにしてもよく、当該介在部材１４の変更に応じて収容部１２の溝部１２ｄや蓋１６の当接部１６ｃの形状などを適宜変更するようにしてもよい。
【００８３】
また、上記した実施の形態の密閉容器１０においては、蓋１６の当接部１６ｃを被覆部１６ｂの外周縁部を所定の角度で折り曲げるようにして形成するようにしたが、これに限られるものではないことは勿論であり、略板状体を屈曲形成して当接部を形成するのではなく、略板状体の外周縁部にその他の部材を別に取り付けて当接部を形成するようにしてもよい。
【００８４】
また、上記した実施の形態の密閉容器１０においては、プリント基板３０が収容されるようにしたが、収容物はプリント基板に限られるものではないことは勿論であり、例えば、マイクロ波やミリ波などの高周波領域で動作する電子部品や各種電子機器などを収容可能なものであって、収容物の種類や大きさなどに応じて、材料や全体の寸法、内部空間１０ａを満たす気体の種類、あるいは、ネジの取り付け位置などを適宜変更するとよい。
【産業上の利用可能性】
【００８５】
本発明は、各種電子機器の製造工程において利用することができ、例えば、衛星放送や衛星通信の受信低雑音増幅器コンバータ（所謂、Ｌｏｗ  Ｎｏｉｓｅ  Ａｍｐｌｉｆｉｅｒ，Ｌｏｗ  Ｎｏｉｓｅ  Ｂｌｏｃｋ  ｃｏｎｖｅｒｔｅｒといわれる。）の気密筐体として利用することができる。
【図面の簡単な説明】
【００８６】
【図１】図１（ａ）は、従来の筐体を示す概略構成分解斜視説明図であり、図１（ｂ）は、従来の筐体を示す概略構成斜視説明図である。
【図２】図２は、図１（ｂ）のＩＩ−ＩＩ線断面図である。
【図３】図３は、図１（ｂ）のＩＩＩ−ＩＩＩ線断面図である。
【図４】図４は、図１（ａ）（ｂ）に示す従来の筐体を模式的に示す説明図である。
【図５】図５は、従来の他の種類の筐体の図３に対応するようにして示した断面図である。
【図６】図６は、本発明による密閉容器の実施の形態の一例を示す概略構成説明図（上面図）である。
【図７】図７は、図６に示す本発明による密閉容器のＶＩＩ−ＶＩＩ線断面図である。
【図８】図８は、図６に示す本発明による密閉容器のＶＩＩＩ−ＶＩＩＩ線断面図である。
【図９】図９は、図６に示す本発明による密閉容器のＩＸ−ＩＸ線の箇所における断面に対応させた概略構成分解斜視説明図である。
【符号の説明】
【００８７】
１０          密閉容器
１２          収容部
１２ａ        開口部
１４          介在部材
１６，１８    蓋
３０          プリント基板
【図１】
2006108257.tif 000003
【図２】
2006108257.tif 000004
【図３】
2006108257.tif 000005
【図４】
2006108257.tif 000006
【図５】
2006108257.tif 000007
【図６】
2006108257.tif 000008
【図７】
2006108257.tif 000009
【図８】
2006108257.tif 000010
【図９】
2006108257.tif 000011